(57)【要約】  【課題】カラオケ演奏装置のＩＤ情報に基づいて不正端末か否かの判断を行うことにより、演奏装置の不正使用を効果的に防止する。  【解決手段】不正使用が判明したカラオケ演奏装置のＩＤ情報を予めカラオケホスト装置１２に登録しておく。カラオケ演奏装置１０に対して所定のＩＤが付与されると、計測手段１７が例えば楽曲の演奏時間、或いは、楽曲の演奏回数、予約楽曲の登録回数、カラオケ演奏装置の使用期間または使用時間等、所定の事象を計測する。そして、計測手段１７の計測値が所定値に達した後はカラオケ演奏装置１０の使用を禁止する。しかし、計測手段１７の計測値が所定値に達する前に、或いは、所定値に達した後に、通信制御手段１３がカラオケホスト装置１２と通信を行った際に特定データの通信を終了し、且つ、当該カラオケ演奏装置１０に付与されたＩＤがカラオケホスト装置１２に登録された不正使用ＩＤではない場合は、前記計測手段１７の初期化を行って当該カラオケ演奏装置１０の継続使用を可能にする。【選択図】図１
2005099525.tif 000002
【特許請求の範囲】
【請求項１】
不正使用カラオケ演奏装置のＩＤ情報を登録したカラオケホスト装置と通信ネットワークを介して接続され、その通信を制御する通信制御手段と、リクエスト装置から予約楽曲の登録を受ける登録手段と、前記予約登録された楽曲を演奏する演奏手段と、所定の事象を計測する計測手段とを付帯するとともに、所定のＩＤが付与されてなり、前記計測手段が計測した計測値が所定値に達した後は当該カラオケ演奏装置の使用を禁止し、前記通信制御手段が通信を行った際の特定データの通信が終了し、且つ、前記所定のＩＤが前記不正使用カラオケ演奏装置のＩＤ情報に登録されていない場合、前記計測手段の初期化を行うことを特徴とする不正使用防止機能を有したカラオケ演奏装置。
【請求項２】
前記所定の事象が楽曲の演奏時間であり、前記計測値が前記演奏時間の累計である請求項１記載の不正使用防止機能を有したカラオケ演奏装置。
【請求項３】
前記所定の事象が楽曲の演奏回数であり、前記計測値が前記演奏回数の累計である請求項１記載の不正使用防止機能を有したカラオケ演奏装置。
【請求項４】
前記所定の事象が予約楽曲の登録回数であり、前記計測値が前記登録回数の累計である請求項１記載の不正使用防止機能を有したカラオケ演奏装置。
【請求項５】
前記所定の事象がカラオケ演奏装置の使用期間または使用時間であり、前記計測値が前記使用期間または使用時間の累計である請求項１記載の不正使用防止機能を有したカラオケ演奏装置。
【請求項６】
不正使用カラオケ演奏装置のＩＤ情報を登録したカラオケホスト装置と通信ネットワークを介して接続され、その通信を制御する通信制御手段と、リクエスト装置から予約楽曲の登録を受ける登録手段と、前記予約登録された楽曲を演奏する演奏手段とを少なくとも付帯するとともに、所定のＩＤが付与されてなり、前記通信制御手段が通信を行った際の特定データの通信が終了した際、前記所定のＩＤが前記不正使用カラオケ演奏装置のＩＤ情報に登録されていた場合、当該カラオケ演奏装置の使用を禁止することを特徴とする不正使用防止機能を有したカラオケ演奏装置。
【発明の詳細な説明】
【技術分野】
【０００１】
本発明は通信ネットワークを介して接続されるカラオケ演奏装置に関するものであり、特に、不正使用防止機能を有したカラオケ演奏装置に関するものである。
【背景技術】
【０００２】
現在、著しく普及しているカラオケ演奏装置は、所謂「通信カラオケ」と呼ばれ、新規の楽曲データをホストコンピュータから通信ネットワークを介してダウンロードするものである。これらの演奏装置は、装置内に蓄積されている楽曲データの使用と、新規の楽曲データのダウンロードのために、カラオケ演奏装置の販売会社に対して楽曲データの使用料（情報料）を支払っている。また、各演奏装置には使用を禁止するロック機構が設けられている。従って、ユーザーが前述の使用料を未払いの場合には、ホストコンピュータから通信ネットワークを介して演奏装置の使用をロックするように設定されている。
【０００３】
しかし、演奏装置を通信ネットワークの接続から外せば、ホストコンピュータからロックがかからなくなり、新規楽曲のダウンロードは出来ないものの、演奏装置内に蓄積された楽曲データは無料で使い放題の状態となる。このように、使用料未払いで不正使用される演奏装置は不正端末と称されている。
【０００４】
不正端末が発生する例としては、装置の盗難により不正使用される場合や、新しい装置を購入する際に古い装置を廃棄したものが不正使用される場合がある。また、装置の販売会社の中にはユーザーが開局（正規の手続きを経て使用開始）した月は情報料を無料にするサービスを行うことがあり、同一月内で開局と閉局（使用解約）を繰り返して不正使用される場合もある。更に、販売会社の営業マンはメンテナンス用の保守端末を所持しているが、楽曲データをコピーできる機能を有しているため、該保守端末により楽曲データの不正コピーが行われる可能性もある。
【０００５】
このような不正使用を防止するために、カラオケ演奏装置に計測手段を設け、該計測手段により装置の使用回数、使用時間、或いは演奏時間を計測し、夫々の計測値が所定値に達した後は装置の使用を禁止することで不正使用を防止し、通信制御手段が通信を行った際に、特定のデータの通信が終了したことに基づき計測手段の初期化を行って、装置の継続使用を可能にするようにしたカラオケ演奏装置が知られている（例えば、特許文献１参照）。
【０００６】
また、演奏データを記録した楽曲ディスクが搭載可能なカラオケ演奏装置に計測手段を設け、該計測手段により所定の期間や日付、楽曲の演奏時間、楽曲の演奏回数、或いは、楽曲のリクエスト登録回数を計測し、夫々の計測値が所定の設定値に達した後は楽曲の演奏を禁止することで不正使用を防止し、新たなディスクが規定する設定値が設定される毎に計測手段の初期化を行って、装置の継続使用を可能にするようにしたカラオケ演奏装置を本願出願人が現在出願中である。
【特許文献１】特許３１９６１６６号公報
【発明の開示】
【発明が解決しようとする課題】
【０００７】
特許文献１記載の発明は、計測手段により装置の使用回数、使用時間、或いは演奏時間を計測し、夫々の計測値が所定値に達した後は装置の使用を禁止している。しかし、リクエスト装置による予約楽曲の登録回数の計測は行われていないため、不正使用に対する防止対策が完全とはいえない。
【０００８】
これに対して、本願出願人が現在出願中の発明は、楽曲ディスクが搭載可能なカラオケ演奏装置に於いて、所定の期間や日付、楽曲の演奏時間、楽曲の演奏回数、或いは、予約楽曲のリクエスト登録回数を計測し、夫々の計測値が設定値に達した後は楽曲の演奏を禁止することで不正使用を効果的に防止できる。
【０００９】
ここで、一般的にカラオケ演奏装置にはＩＤ情報、例えば機械毎に異なるシリアル番号が付与されている。前述した不正端末については、装置のＩＤ情報が判明しているものもあり、これら不正端末のＩＤ情報をブラックリストにして不正使用か否かの判断基準とすることも可能である。しかし、前述した何れの発明も、カラオケ演奏装置のＩＤ情報に関する記載はまったくない。
【００１０】
そこで、カラオケ演奏装置のＩＤ情報に基づいて不正端末か否かの判断を行うことにより、演奏装置の不正使用を効果的に防止するために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、不正使用カラオケ演奏装置のＩＤ情報を登録したカラオケホスト装置と通信ネットワークを介して接続され、その通信を制御する通信制御手段と、リクエスト装置から予約楽曲の登録を受ける登録手段と、前記予約登録された楽曲を演奏する演奏手段と、所定の事象を計測する計測手段とを付帯するとともに、所定のＩＤが付与されてなり、前記計測手段が計測した計測値が所定値に達した後は当該カラオケ演奏装置の使用を禁止し、前記通信制御手段が通信を行った際の特定データの通信が終了し、且つ、前記所定のＩＤが前記不正使用カラオケ演奏装置のＩＤ情報に登録されていない場合、前記計測手段の初期化を行う不正使用防止機能を有したカラオケ演奏装置を提供する。
【００１２】
即ち、不正使用が判明したカラオケ演奏装置のＩＤ情報、例えば機械のシリアル番号を予めカラオケホスト装置に登録しておく。ユーザーが新たにカラオケ演奏装置を開局し、当該演奏装置に対して所定のＩＤが付与されると、計測手段が所定の事象を計測する。そして、計測手段の計測値が所定値に達した後は当該演奏装置の使用を禁止する。しかし、前記計測手段の計測値が所定値に達する前に、或いは、所定値に達した後に、通信制御手段が通信を行った際に特定データの通信を終了し、且つ、前記所定のＩＤがカラオケホスト装置に登録された不正使用ＩＤではない場合は、前記計測手段の初期化を行って当該演奏装置の継続使用を可能にする。
【００１３】
請求項２記載の発明は、前記所定の事象が楽曲の演奏時間であり、前記計測値が前記演奏時間の累計である不正使用防止機能を有したカラオケ演奏装置を提供する。
【００１４】
即ち、前記計測手段はカラオケ演奏装置が演奏した楽曲の演奏時間を計測し、該演奏時間の累計が予め決められた所定時間に達した後は、当該演奏装置の使用を禁止する。
【００１５】
請求項３記載の発明は、前記所定の事象が楽曲の演奏回数であり、前記計測値が前記演奏回数の累計である不正使用防止機能を有したカラオケ演奏装置を提供する。
【００１６】
即ち、前記計測手段はカラオケ演奏装置が演奏した楽曲の演奏回数を計測し、該演奏回数の累計が予め決められた所定回数に達した後は、当該演奏装置の使用を禁止する。
【００１７】
請求項４記載の発明は、前記所定の事象が予約楽曲の登録回数であり、前記計測値が前記登録回数の累計である不正使用防止機能を有したカラオケ演奏装置を提供する。
【００１８】
即ち、前記計測手段はカラオケ演奏装置に予約された楽曲の登録回数を計測し、該登録回数の累計が予め決められた所定回数に達した後は、当該演奏装置の使用を禁止する。
【００１９】
請求項５記載の発明は、前記所定の事象がカラオケ演奏装置の使用期間または使用時間であり、前記計測値が前記使用期間または使用時間の累計である不正使用防止機能を有したカラオケ演奏装置を提供する。
【００２０】
即ち、前記計測手段はカラオケ演奏装置の使用期間または使用時間を計測し、該使用期間または使用時間の累計が予め決められた所定期間または所定時間に達した後は、当該演奏装置の使用を禁止する。
【００２１】
請求項６記載の発明は、不正使用カラオケ演奏装置のＩＤ情報を登録したカラオケホスト装置と通信ネットワークを介して接続され、その通信を制御する通信制御手段と、リクエスト装置から予約楽曲の登録を受ける登録手段と、前記予約登録された楽曲を演奏する演奏手段とを少なくとも付帯するとともに、所定のＩＤが付与されてなり、前記通信制御手段が通信を行った際の特定データの通信が終了した際、前記所定のＩＤが前記不正使用カラオケ演奏装置のＩＤ情報に登録されていた場合、当該カラオケ演奏装置の使用を禁止する不正使用防止機能を有したカラオケ演奏装置を提供する。
【００２２】
即ち、不正使用が判明したカラオケ演奏装置のＩＤ情報、例えば機械のシリアル番号を予めカラオケホスト装置に登録しておく。ユーザーが新たにカラオケ演奏装置を開局し、当該演奏装置に対して所定のＩＤが付与されると、通信制御手段が通信を行った際の特定データの通信を終了した際に、前記所定のＩＤがカラオケホスト装置に登録された不正使用ＩＤである場合は、当該演奏装置の使用を禁止する。
【発明の効果】
【００２３】
請求項１記載の発明は、カラオケ演奏装置の所定のＩＤが不正使用カラオケ演奏装置のＩＤ情報に登録されていない場合は、通信制御手段により特定データの通信を終了されなくとも、計測手段が所定の事象を計測して所定値に達するまではカラオケ演奏装置の継続使用を可能にする。即ち、不正使用でない正規ユーザーに対しては、通常使用時に於いて、何らかのトラブルにより通信が不通となった場合や、メンテナンス等により意図的に通信を不通にしたりして、一時的に特定データの通信ができなくなったとしても、前記所定の事象の計測値が所定値に達するまでの期間は通常使用が可能である。従って、その期間中にこれらの処理に対応すればよく、対応後は通常の通信が回復されて特定データの通信ができるようになり、前記計測手段の初期化が行われるため、当該演奏装置の使用を中断する等の迷惑を及ぼすことがない。
【００２４】
これに対して、悪意にカラオケ演奏装置を通信ネットワークの接続から外して通信が不通になった場合や、当該演奏装置の所定のＩＤが、盗難品や廃棄品の再利用等で不正使用カラオケ演奏装置のＩＤ情報に登録されていた場合は、前記計測手段の初期化は行われないため、計測手段が所定の事象を計測してその計測値が所定値に達すると当該演奏装置の使用を禁止するので、カラオケ演奏装置の不正使用を防止できる。
【００２５】
請求項２記載の発明は、前記所定の事象が楽曲の演奏時間であるので、請求項１記載の発明の効果に加えて、通信ネットワークを介してカラオケホスト装置が当該演奏装置の使用状況を確実に把握できる。
【００２６】
請求項３記載の発明は、前記所定の事象が楽曲の演奏回数であるので、請求項２記載の発明と同様の効果を奏する。
【００２７】
請求項４記載の発明は、前記所定の事象が予約楽曲の登録回数であるので、請求項２記載の発明と同様の効果を奏する。
【００２８】
請求項５記載の発明は、前記所定の事象がカラオケ演奏装置の使用期間または使用時間であるので、請求項２記載の発明と同様の効果を奏する。
【００２９】
請求項６記載の発明は、通信制御手段が特定データの通信を終了した際に、所定のＩＤが不正使用カラオケ演奏装置のＩＤ情報に登録されていた場合は、当該演奏装置の使用を禁止するため、カラオケ演奏装置の不正使用を極めて効果的に防止できる。
【発明を実施するための最良の形態】
【００３０】
以下、本発明のカラオケ演奏装置について、好適な実施例をあげて詳述する。
【実施例１】
【００３１】
先ず、図１乃至図３に従って第１実施例に於けるカラオケ演奏装置について説明する。図１はカラオケ演奏装置１０の構成を示すブロック図であり、該カラオケ演奏装置１０は通信ネットワーク１１を介してカラオケホスト装置１２に接続されている。該カラオケ演奏装置１０は、前記カラオケホスト装置１２との通信を制御する通信制御手段１３と、外部のリクエスト装置１４から予約楽曲の登録を受ける登録手段１５と、前記予約登録された楽曲を演奏する演奏手段１６と、所定の事象を計測する計測手段１７とを付帯し、前記演奏手段１６にて演奏する楽曲データを蓄積する楽曲データ記憶手段１８と、更に、これらの各手段を制御するための中央処理手段１９が備えられている。
【００３２】
尚、当該カラオケ演奏装置１０が正規の手続きで使用開始（開局）されたときは、前記カラオケホスト装置１２から通信ネットワーク１１を介して所定のＩＤが付与される。該ＩＤは当該カラオケ演奏装置１０固有の情報であり、中央処理手段１９により適宜な記憶部（図示せず）に記憶される。また、前記カラオケホスト装置１２には楽曲データのほかに、その時点で判明している多数の不正使用カラオケ演奏装置のＩＤ情報、即ち、機械のシリアル番号等、不正端末のＩＤ情報をブラックリストにして登録されている。
【００３３】
後述するように、当該カラオケ演奏装置１０の通信制御手段１３が前記カラオケホスト装置１２から楽曲データをダウンロードする等の通信を行った際に、当該カラオケ演奏装置１０のＩＤ情報が不正端末のＩＤ情報として登録されているか否かを照会するように、特定データの通信を行うように構成されている。
【００３４】
前記登録手段１５は、利用者が所望する楽曲をリクエスト装置１４にて特定の楽曲番号が入力されると演奏予約データとして受け入れ、記憶部（図示せず）に演奏予約の待ち行列を作成して楽曲の演奏順番を管理するものであり、その中の楽曲番号が楽曲データ記憶手段１８に蓄積されて演奏可能な楽曲の番号であることを確認した上で、その楽曲番号を待ち行列に登録する。
【００３５】
前記楽曲データ記憶手段１８としては例えばハードディスクドライブを使用し、該楽曲データ記憶手段１８には、予め当該カラオケ演奏装置１０の出荷時に数万曲の楽曲データが蓄積されている。前記登録手段１５に入力された楽曲データが楽曲データ記憶手段１８に蓄積されていない場合は、中央処理手段１９をはじめとする各手段の制御により、通信ネットワーク１１を介して前記カラオケホスト装置１２との通信により該当する楽曲データがダウンロードされ、ダウンロードされた楽曲データがこの楽曲データ記憶手段１８に新たに蓄積される。尚、楽曲データのダウンロードと同時に、後述するように、計測手段が計測した計測値を初期化するために特定データの通信を行うように構成されている。
【００３６】
前記演奏手段１６は、前記登録手段１５に登録された予約楽曲の順番に従って、待ち行列から登録順に楽曲番号を取り出し、楽曲データ記憶手段１８から該当する演奏データを取り出して処理する。登録された楽曲番号に対応する演奏データは、ＭＩＤＩデータやＡＤＰＣＭデータ等で表現される伴奏音楽の起源となる音楽演奏データからなり、この音楽演奏データを音源装置（図示せず）に送信することにより、該当する楽曲の演奏が行われる。
【００３７】
前記計測手段１７は所定の事象を計測し、この計測値が所定値に達した後は、その旨の信号を計測手段１７から中央処理手段１９へ送る。然るときは、該中央処理手段１９の制御によって予約登録の禁止処理、或いは、楽曲の演奏禁止処理が行われる。従って、当該カラオケ演奏装置１０の使用が禁止される。しかし、前記計測手段１７の計測値が所定値に達する前に、或いは、所定値に達した後に、前記通信制御手段１３がカラオケホスト装置１２から楽曲データをダウンロードする等の通信の際に、計測手段１７が計測した計測値を初期化するために特定データの通信を行うので、後述するように、当該カラオケ演奏装置１０のＩＤ情報が不正端末のＩＤ情報として登録されていない場合は、中央処理手段１９の制御により前記所定の事象の計測値が初期化されて、演奏装置の継続使用が可能となる。
【００３８】
前記所定の事象とは、例えば楽曲の演奏時間であり、この場合計測手段１７の計測値とは演奏時間の累計である。前記計測手段１７にはタイマー（図示せず）が組み込まれており、該タイマーは前記演奏手段１６が演奏した楽曲の演奏時間を計測するものであり、前記楽曲データ記憶手段１８には例えば３００時間という楽曲の演奏時間が規定されている。
【００３９】
当該カラオケ演奏装置１０の使用により該タイマーが計測を開始して演奏時間の累計が３００時間に達すると、その旨の信号を計測手段１７から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１７の計測値即ちタイマーが計測した楽曲の演奏時間が初期化されて０となる。
【００４０】
また、前記所定の事象とは、例えば楽曲の演奏回数であり、この場合計測手段１７の計測値とは演奏回数の累計である。前記計測手段１７にはカウンタ（図示せず）が組み込まれており、該カウンタは前記演奏手段１６が演奏した楽曲の演奏回数を計測するものであり、前記楽曲データ記憶手段１８には例えば５０００回という演奏回数が規定されている。
【００４１】
当該カラオケ演奏装置１０の使用により該カウンタが計測し始めて演奏回数の累計が５０００回に達すると、その旨の信号を計測手段１７から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１７の計測値即ちカウンタが計測した楽曲の演奏回数が初期化されて０となる。
【００４２】
また、前記所定の事象とは、例えば予約楽曲の登録回数であり、この場合の計測値とは登録回数の累計である。前記計測手段１７には前述のカウンタが組み込まれており、該カウンタは前記登録手段１５に登録された予約楽曲の登録回数を計測するものであり、前記楽曲データ記憶手段１８には例えば６０００回という登録回数が規定されている。
【００４３】
当該カラオケ演奏装置１０の使用により該カウンタが計測し始めて登録回数の累計が６０００回に達すると、その旨の信号を計測手段１７から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１７の計測値即ちカウンタが計測した予約楽曲の登録回数が初期化されて０となる。
【００４４】
また、前記所定の事象とは、例えば当該カラオケ演奏装置１０の使用期間であり、この場合の計測値とは使用期間の累計である。前記計測手段１７には前述のタイマーが組み込まれており、該タイマーは当該カラオケ演奏装置１０の使用期間を計測するものであり、前記楽曲データ記憶手段１８には例えば５０日間という使用期間が規定されている。
【００４５】
当該カラオケ演奏装置１０の使用により該タイマーが計測し始めて使用期間の累計が５０日間に達すると、その旨の信号を計測手段１７から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１７の計測値即ちタイマーが計測した使用期間が初期化されて０となる。
【００４６】
尚、前記所定の事象として、当該カラオケ演奏装置１０の使用期間の代りに使用時間を規定してもよい。斯かる場合、前記楽曲データ記憶手段１８に例えば３００時間という使用時間を規定しておき、カラオケ演奏装置１０の使用によりタイマーが計測し始めて使用時間の累計が３００時間に達すると、予約登録の禁止処理、或いは、楽曲の演奏禁止処理が行われる。そして、特定データの通信を終了することにより、タイマーが計測した使用時間が初期化されて０となる。
【００４７】
図２はカラオケ演奏装置１０の制御の一例を示すフローチャートであり、先ずカラオケ演奏装置１０が起動して使用が開始されると、利用者は所望する楽曲をリクエスト装置１４にて入力する（ステップ101）。ここで、計測手段１７が計測した所定の事象が所定値に達したか否かを判定する（ステップ102）。この所定の事象とは、前述したように、例えば楽曲の演奏時間であり、或いは、楽曲の演奏回数、予約楽曲の登録回数、カラオケ演奏装置１０の使用期間または使用時間等であり、夫々の累計が所定値に達したか否かを判定する。
【００４８】
計測手段１７が計測した計測値が所定値に達したときは演奏楽曲の予約登録ができなくなり、楽曲の演奏禁止処理が行われて、当該カラオケ演奏装置１０の使用が禁止される。これに対して、前記計測値が所定値未満であるときは、予約楽曲が楽曲データ記憶手段１８に蓄積されているか否かを判定する（ステップ103）。予約楽曲が楽曲データ記憶手段１８に蓄積されているときはステップ107へ進む。
【００４９】
予約楽曲が楽曲データ記憶手段１８に蓄積されていないときはステップ104へ進み、中央処理手段１９をはじめとする各手段の制御により、通信ネットワーク１１を介して前記カラオケホスト装置１２との通信により該当する楽曲データがダウンロードされ、ダウンロードされた楽曲データが楽曲データ記憶手段１８に新たに蓄積される。
【００５０】
続いて、カラオケホスト装置１２と特定データの通信を行う（ステップ105）。この特定データの通信とは、当該カラオケ演奏装置１０に付与されている所定のＩＤが前記カラオケホスト装置１２に登録されている不正使用カラオケ演奏装置のＩＤ情報に登録されているか否かを照会する通信と、計測手段１７が計測した計測値を初期化するための通信である。
【００５１】
特定データの通信が終了し、当該カラオケ演奏装置１０に付与されている所定のＩＤが前記カラオケホスト装置１２に登録されている不正使用カラオケ演奏装置のＩＤ情報に登録されていると判定したとき（ステップ106）は、予約登録の禁止処理並びに楽曲の演奏禁止処理が行われて、当該カラオケ演奏装置１０の使用が禁止される。これに対して、当該カラオケ演奏装置１０のＩＤ情報が不正使用カラオケ演奏装置のＩＤ情報として登録されていない場合は、中央処理手段１９の制御により前記所定の事象の計測値が初期化されて、演奏装置の継続使用が可能となり、ステップ107へ進む。
【００５２】
ステップ107では、予約入力された楽曲が正式に登録される。然る後は、前記登録手段１５に登録された予約楽曲の順番に従って、楽曲データ記憶手段１８に蓄積されている演奏データを取り出して、演奏手段１６が演奏処理する（ステップ108）。予約楽曲の演奏が終了すると、その時点で計測手段１７が計測した現在の所定の事象、即ち、前述した楽曲の演奏時間、或いは、楽曲の演奏回数、予約楽曲の登録回数、カラオケ演奏装置１０の使用期間または使用時間等を計測手段１７の計測値に累計する（ステップ109）。
【００５３】
そして、計測値に累計が行われた後は、カラオケ演奏装置２０を終了するか否かを判定し（ステップ110）、カラオケ演奏装置１０の使用を中止しない限り、そのまま演奏楽曲の予約が繰り返し受け付けられる（ステップ101へ戻る）。
【００５４】
図３はカラオケ演奏装置１０の制御の他の一例を示すフローチャートであり、図２に示した制御のフローチャートと異なる箇所は、利用者が楽曲をリクエスト装置１４にて入力すれば（ステップ201）、先ず登録手段１５が楽曲を予約登録し（ステップ202）、その後に、計測手段１７が計測した所定の事象が所定値に達したか否かを判定する（ステップ203）点である。ステップ203以降のフローチャートは、楽曲の予約登録が既に済んでいる点を除いては図２に示した制御と同一の流れである。
【００５５】
即ち、図２に示した制御では、計測手段１７が計測した所定の事象の計測値が所定値に達した後、或いは、当該カラオケ演奏装置１０に付与されている所定のＩＤが前記カラオケホスト装置１２に登録されている不正使用カラオケ演奏装置のＩＤ情報に登録されていると判定した後は、何れも予約登録の禁止処理並びに楽曲の演奏禁止処理が行われるのに対して、図３に示した制御では、楽曲の予約登録は常時可能であり、計測手段１７が計測した所定の事象の計測値が所定値に達した後、或いは、当該カラオケ演奏装置１０に付与されている所定のＩＤが前記カラオケホスト装置１２に登録されている不正使用カラオケ演奏装置のＩＤ情報に登録されていると判定した後は、楽曲の演奏禁止処理が行われる。
【実施例２】
【００５６】
次に、図４乃至図６に従って第２実施例に於けるカラオケ演奏装置について説明する。図４はカラオケ演奏装置２０の構成を示すブロック図であり、実施例１のカラオケ演奏装置１０と異なる箇所は、必ずしも計測手段が必要ではなく、カラオケ演奏装置２０は通信ネットワーク２１を介してカラオケホスト装置２２に接続されている。該カラオケ演奏装置２０は、前記カラオケホスト装置２２との通信を制御する通信制御手段２３と、外部のリクエスト装置２４から予約楽曲の登録を受ける登録手段２５と、前記予約登録された楽曲を演奏する演奏手段２６とを少なくとも付帯し、前記演奏手段２６にて演奏する楽曲データを蓄積する楽曲データ記憶手段２８と、更に、これらの各手段を制御するための中央処理手段２９が備えられている。
【００５７】
尚、前記カラオケ演奏装置１０と同様に、当該カラオケ演奏装置２０も正規の手続きで使用開始（開局）されたときは、前記カラオケホスト装置２２から通信ネットワーク２１を介して所定のＩＤが付与される。該ＩＤは当該カラオケ演奏装置２０固有の情報であり、中央処理手段２９により適宜な記憶部（図示せず）に記憶される。また、前記カラオケホスト装置２２には楽曲データのほかに、その時点で判明している多数の不正使用カラオケ演奏装置のＩＤ情報、即ち、機械のシリアル番号等、不正端末のＩＤ情報をブラックリストにして登録されている。
【００５８】
後述するように、当該カラオケ演奏装置２０の通信制御手段２３が前記カラオケホスト装置２２から楽曲データをダウンロードする等の通信を行った際に、当該カラオケ演奏装置２０のＩＤ情報が不正端末のＩＤ情報として登録されているか否かを照会するように、特定データの通信を行うように構成されている。
【００５９】
以下、登録手段２５、演奏手段２６、楽曲データ記憶手段２８、中央処理手段２９については、夫々が図１に示した第１実施例に於ける登録手段１５、演奏手段１６、楽曲データ記憶手段１８、中央処理手段１９と全く同一の構成であり、その機能及び動作等も全く同様である。
【００６０】
図５はカラオケ演奏装置２０の制御の一例を示すフローチャートであり、先ずカラオケ演奏装置２０が起動して使用が開始されると、利用者は所望する楽曲をリクエスト装置２４にて入力する（ステップ301）。予約楽曲が楽曲データ記憶手段２８に蓄積されているか否かを判定する（ステップ302）。予約楽曲が楽曲データ記憶手段２８に蓄積されているときはステップ306へ進む。
【００６１】
予約楽曲が楽曲データ記憶手段２８に蓄積されていないときはステップ303へ進み、中央処理手段２９をはじめとする各手段の制御により、通信ネットワーク２１を介して前記カラオケホスト装置２２との通信により該当する楽曲データがダウンロードされ、ダウンロードされた楽曲データが楽曲データ記憶手段２８に新たに蓄積される。
【００６２】
続いて、カラオケホスト装置２２と特定データの通信を行う（ステップ304）。この特定データの通信とは、当該カラオケ演奏装置２０に付与されている所定のＩＤが前記カラオケホスト装置２２に登録されている不正使用カラオケ演奏装置のＩＤ情報に登録されているか否かを照会する通信である。第１実施例の場合と異なり、第２実施例では必ずしも計測手段が必要ではないため、計測値を初期化するための通信は不要である。
【００６３】
特定データの通信が終了し、当該カラオケ演奏装置２０に付与されている所定のＩＤが前記カラオケホスト装置２２に登録されている不正使用カラオケ演奏装置のＩＤ情報に登録されていると判定したとき（ステップ305）は、予約登録の禁止処理並びに楽曲の演奏禁止処理が行われて、当該カラオケ演奏装置２０の使用が禁止される。これに対して、当該カラオケ演奏装置２０のＩＤ情報が不正使用カラオケ演奏装置のＩＤ情報として登録されていない場合は、中央処理手段１９の制御により演奏装置の継続使用が可能となり、ステップ306へ進む。
【００６４】
ステップ306では、予約入力された楽曲が正式に登録される。然る後は、前記登録手段２５に登録された予約楽曲の順番に従って、楽曲データ記憶手段２８に蓄積されている演奏データを取り出して、演奏手段２６が演奏処理する（ステップ307）。予約楽曲の演奏が終了すると、カラオケ演奏装置２０を終了するか否かを判定し（ステップ308）、カラオケ演奏装置２０の使用を中止しない限り、そのまま演奏楽曲の予約が繰り返し受け付けられる（ステップ301へ戻る）。
【００６５】
図６はカラオケ演奏装置２０の制御の他の一例を示すフローチャートであり、図５に示した制御のフローチャートと異なる箇所は、利用者が楽曲をリクエスト装置２４にて入力すれば（ステップ401）、先ず登録手段２５が楽曲を予約登録し（ステップ402）、その後に、予約楽曲が楽曲データ記憶手段２８に蓄積されているか否かを判定する（ステップ403）点である。ステップ403以降のフローチャートは、楽曲の予約登録が既に済んでいる点を除いては図５に示した制御と同一の流れである。
【００６６】
即ち、図５に示した制御では、当該カラオケ演奏装置２０に付与されている所定のＩＤが前記カラオケホスト装置２２に登録されている不正使用カラオケ演奏装置のＩＤ情報に登録されていると判定した後は、不正使用であると判定して、予約登録の禁止処理並びに楽曲の演奏禁止処理が行われるのに対して、図６に示した制御では、楽曲の予約登録は常時可能であり、当該カラオケ演奏装置２０に付与されている所定のＩＤが前記カラオケホスト装置２２に登録されている不正使用カラオケ演奏装置のＩＤ情報に登録されていると判定した後は、楽曲の演奏禁止処理が行われる。
【００６７】
尚、本発明は、本発明の精神を逸脱しない限り種々の改変を為すことができ、そして、本発明が該改変されたものに及ぶことは当然である。
【図面の簡単な説明】
【００６８】
図は本発明の一実施の形態を示すものである。
【図１】第１実施例に於けるカラオケ演奏装置の構成を示すブロック図。
【図２】第１実施例に於けるカラオケ演奏装置の制御の一例を示すフローチャート。
【図３】第１実施例に於けるカラオケ演奏装置の制御の他の一例を示すフローチャート。
【図４】第２実施例に於けるカラオケ演奏装置の構成を示すブロック図。
【図５】第２実施例に於けるカラオケ演奏装置の制御の一例を示すフローチャート。
【図６】第２実施例に於けるカラオケ演奏装置の制御の他の一例を示すフローチャート。
【符号の説明】
【００６９】
１０，２０  カラオケ演奏装置
１１，２１  通信ネットワーク
１２，２２  カラオケホスト装置
１３，２３  通信制御手段
１４，２４  リクエスト装置
１５，２５  登録手段
１６，２６  演奏手段
１７        計測手段
１８，２８  楽曲データ記憶手段
１９，２９  中央処理手段 
【図１】
2005099525.tif 000003
【図２】
2005099525.tif 000004
【図３】
2005099525.tif 000005
【図４】
2005099525.tif 000006
【図５】
2005099525.tif 000007
【図６】
2005099525.tif 000008